(57)【特許請求の範囲】
【請求項１】
カップ本体と、
前記カップ本体に取り付けられ、内容積を有洗米用および無洗米用に変更する容積変更用部材と、を備え、
前記カップ本体は有底筒状を有し、
前記容積変更用部材は前記カップ本体の底部に着脱可能に取り付けられるものであり、
前記カップ本体の前記底部の中央に孔を備え、
前記容積変更用部材は、
弾性体材料で構成され、底部の中央に、下方に向かって突出した凸部を備え、
前記容積変更用部材は、
前記凸部が前記カップ本体の前記孔に挿入され、前記カップ本体の前記底部に上側または下側から取り付けられるものである
ことを特徴とする米計量カップ。
【請求項２】
前記容積変更用部材の前記凸部は最大横幅が前記孔の幅よりも大きい傘部を有しており、
前記容積変更用部材を前記カップ本体の前記底部に上側から取り付けた際に、前記凸部の前記傘部が前記カップ本体の前記底部よりも下方に突出するようになっており、
前記容積変更用部材を前記カップ本体の前記底部に下側から取り付けた際に、前記凸部の前記傘部が前記カップ本体の前記底部よりも上方に突出するようになっている
ことを特徴とする請求項１に記載の米計量カップ。
【請求項３】
前記カップ本体は、
前記底部の外周端と前記孔との間に、下方に向かって突出した脚部を備え、
前記脚部の高さは、前記容積変更用部材が前記カップ本体の前記底部に上側から取り付けられた際に、前記凸部の前記傘部の前記カップ本体の前記底部よりも下方に位置する長さよりも高くなるように設けられており、
前記容積変更用部材は、
前記底部の外周端と前記凸部との間に溝を備え、
前記容積変更用部材が前記カップ本体の前記底部に下側から取り付けられた際に、前記カップ本体の前記脚部が前記容積変更用部材の前記溝に収納される
ことを特徴とする請求項２に記載の米計量カップ。
【請求項４】
カップ本体と、
前記カップ本体に取り付けられ、内容積を有洗米用および無洗米用に変更する容積変更用部材と、を備え、
前記カップ本体は有底筒状を有し、
前記容積変更用部材は前記カップ本体の側部に着脱可能に取り付けられるものであり、
前記カップ本体は、
底部の外周端寄りの位置に孔を備え、
上端には、外側に突出したフランジを備え、
前記容積変更用部材は、
長方形状を有し、前面が前記カップ本体の側面に沿った形状を有しており、
上部には、前記カップ本体の前記フランジに引っ掛ける引掛部を備え、
下部には、下方に向かって突出した凸部を備え、
前記容積変更用部材は、
前記凸部が前記カップ本体の前記孔に挿入され、前記引掛部が前記フランジに引っ掛かることで、前記カップ本体の側部に取り付けられるものである
ことを特徴とする米計量カップ。
【請求項５】
前記容積変更用部材は、無洗米用の目盛りを備えた
ことを特徴とする請求項４に記載の米計量カップ。
【請求項６】
カップ本体と、
前記カップ本体に取り付けられ、内容積を有洗米用および無洗米用に変更する容積変更用部材と、を備え、
前記カップ本体は無底筒状を有し、
前記容積変更用部材は前記カップ本体の底部を覆うように取り付けられるものであり、
前記カップ本体は、
外周側側面の下部には、外側に向かって突出した第一規制部および第二規制部を備え、
外周側側面の前記第一規制部と前記第二規制部との間の外周側側面には螺旋状の突起または溝を備え、
前記容積変更用部材は、
有底筒状を有し、
上部には、内側に向かって突出した凸部を備え、
前記凸部は前記カップ本体の前記突起または前記溝と噛み合うように螺旋状の溝または突起が設けられており、
前記容積変更用部材を回転させることにより、前記容積変更用部材が前記カップ本体に対して上下に移動するものである
ことを特徴とする米計量カップ。
【発明の詳細な説明】
【技術分野】
【０００１】
本発明は、炊飯器で炊飯をするときにおける米の計量に使用する米計量カップに関するものである。
【背景技術】
【０００２】
近年、精米技術の発展により、米を洗わずに米と水とをそのまま炊飯器の鍋内に収容して美味しいご飯を炊き上げることができる無洗米が多く販売されるようになってきている。この無洗米を用いて炊飯をする場合、洗米を行う通常の白米に比べて、米の周囲に付着している糖分、澱粉粒などの流れ落ちがない分、水加減を多くする必要がある。つまり、同じ量を炊くときでも有洗米に比べて無洗米の方が少ない量で炊く必要がある。
【０００３】
そこで、従来の米計量カップにおいて、カップ本体の側面に、洗米を必要としない米（以下、無洗米と称する）を計量するための無洗米用目盛と、洗米を必要とする米（以下、有洗米と称する）を計量するための洗米用目盛とが表示され、その無洗米用の目盛線のレベルの位置が、有洗米用の目盛り線のレベルの位置より低いレベルの位置に設けられているものがある（例えば、特許文献１参照）。
【０００４】
特許文献１では、１合の洗米用の目盛線が米計量カップの上端に設けられており、有洗米の１合を計量する際、米計量カップの上端を平らな棒状のものなどですり切りすることで、正確に計量することができる。
【先行技術文献】
【特許文献】
【０００５】
【特許文献１】特開平１０−２６７７２８号公報
【発明の概要】
【発明が解決しようとする課題】
【０００６】
特許文献１に記載の米計量カップは、無洗米用の目盛線のレベルの位置が、有洗米用の目盛り線のレベルの位置より低いレベルの位置に設けられている。そのため、無線米の１合を計量する際、上端をすり切りすることができず、目分量で計量する必要があり、精度よく計量することができないという課題があった。また、無洗米用の米計量カップを別に用意することで、上記課題を回避することができるが、米計量カップが複数必要になってしまうという課題があった。
【０００７】
本発明は、以上のような課題を解決するためになされたもので、１個で有洗米および無洗米を正確に計量することができる米計量カップを提供することを目的としている。
【課題を解決するための手段】
【０００８】
本発明に係る米計量カップは、カップ本体と、前記カップ本体に取り付けられ、内容積を有洗米用および無洗米用に変更する容積変更用部材と、を備え、前記カップ本体は有底筒状を有し、前記容積変更用部材は前記カップ本体の底部に着脱可能に取り付けられるものであり、前記カップ本体の前記底部の中央に孔を備え、前記容積変更用部材は、弾性体材料で構成され、底部の中央に、下方に向かって突出した凸部を備え、前記容積変更用部材は、前記凸部が前記カップ本体の前記孔に挿入され、前記カップ本体の前記底部に上側または下側から取り付けられるものである。
【発明の効果】
【０００９】
本発明に係る米計量カップによれば、容積変更用部材により内容積を有洗米用および無洗米用に変更することができるため、１個で有洗米および無洗米の計量を精度よく計量することができる。
【図面の簡単な説明】
【００１０】
【図１】本発明の実施の形態１に係る炊飯器の斜視図である。
【図２】本発明の実施の形態１に係る炊飯器を側面から見た断面図である。
【図３】本発明の実施の形態１に係る米計量カップの正面断面図である。
【図４】本発明の実施の形態１に係る米計量カップの分解図である。
【図５】本発明の実施の形態２に係る米計量カップの図である。
【図６】本発明の実施の形態２に係る米計量カップの分解図である。
【図７】本発明の実施の形態３に係る米計量カップの図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る炊飯器の斜視図であり、図２は、本発明の実施の形態１に係る炊飯器を側面から見た断面図である。
【００１３】
図１および図２において、実施の形態１の炊飯器は、内部に米などの調理物である被加熱物を保持する内釜２が取り出し自在に収容され、内釜２を誘導加熱する加熱コイル６（加熱手段）を有する箱形形状の本体１と、本体１のヒンジ部５に開閉自在に設けられた外蓋３と、外蓋３に取り外し自在に取り付けられ、外蓋３で本体１の上面を閉じた際に、内釜２の上部開口を閉塞する内蓋４とを備えている。前述の加熱コイル６は、それぞれ円環状に形成され、内釜２が収容される開口の底部に配置されている。その底部の中央には、加熱コイル６により誘導加熱される内釜２の温度を検出する温度センサー７が設置されている。
【００１４】
外蓋３の内側には、内蓋４と対向する面に開口を有する凹部３ａが設けられている。この凹部３ａは、後述する蒸気口ユニット１１と蒸気口ユニット１１に取り付けられたカバー固定手段３１を収容する空間を有している。凹部３ａの上部には、蒸気を外部へ排出する第一蒸気排出口３ｂが設けられている。内蓋４の裏面には、蒸気口ユニット１１が取り付けられている。
【００１５】
この蒸気口ユニット１１は、内蓋４に取り付けられるケース１２と、上部に第二蒸気排出口１８を有し、ケース１２にヒンジ部２３を介して設けられ、ケース１２の開口を開閉自在に閉じるカバー１３と、カバー１３の閉状態を固定するカバー固定手段３１とで構成されている。
【００１６】
このカバー固定手段３１でカバー１３を固定したときには、カバー１３に設けられた円環状のゴムパッキン２４によりケース１２内が密閉状態となる。カバー１３の第二蒸気排出口１８には、例えば耐熱性を有するシリコンゴムなどからなるゴムパッキン１８ａが取り外し自在に取り付けられている。このゴムパッキン１８ａにより、第二蒸気排出口１８と凹部３ａの第一蒸気排出口３ｂとが密閉状態で連結される。
【００１７】
内蓋４に装着された蒸気口ユニット１１は、外蓋３に内蓋４が取り付けられた際に凹部３ａに収容される。この時、蒸気口ユニット１１は、カバー１３の第二蒸気排出口１８と凹部３ａの第一蒸気排出口３ｂとを連結すると共に、その第一蒸気排出口３ｂと内釜２内とを内部空間を介して連通する。
【００１８】
ケース１２の底面には、例えば円筒形状の蒸気導入筒１５と、蒸気導入筒１５に隣接する開閉弁１６とが設けられている。蒸気導入筒１５の下端部は、蒸気流入口１４として、内蓋４に設けられた穴と連結されている。その蒸気導入筒１５により、内釜２内と蒸気口ユニット１１の内部空間が連通状態となる。
【００１９】
開閉弁１６は、例えば耐熱性を有するシリコンゴムなどからなり、ケース１２の底面に上下動自在に設けられている。この開閉弁１６は、炊飯時に発生する内釜２内の蒸気圧で上方に移動し開閉弁１６の周囲に設けられた連結口３ｃを密閉状態とし、炊飯が終了したときには、自重で下がって連結口３ｃを開状態とする。ケース１２の底面は、開閉弁１６に向けて下方に傾斜し、開閉弁１６の周囲の連結口３ｃと連通する溜まり部２２が形成されている。この溜まり部２２には、炊飯時に蒸気から分離されたおねばが溜まる。
【００２０】
また、ケース１２の底面には、蒸気導入筒１５から内部空間に流入して第二蒸気排出口１８に流れる蒸気からおねばを分離する第１障壁１９と第２障壁２０とが設けられている。第１障壁１９は、例えば平らな板部材で形成され、第２障壁２０と対向する壁面の反対側の壁面には、ケース１２の底面から上端に向かうに連れて第２障壁２０側へ傾斜する凹み部（図示せず）が設けられている。また、第１障壁１９の両端の下部には、おねばを溜まり部２２に流すための開口部（図示せず）が設けられている。
【００２１】
第２障壁２０は、第１障壁１９と同様に平らな板部材で形成され、ケース１２の底面であって、第１障壁１９よりも第二蒸気排出口１８側の位置に設けられている。この第２障壁２０とケース１２とで、結露水を溜める水溜まり部２１が形成されている。第２障壁２０は、水溜まり部２１の一部が第二蒸気排出口１８と凹部３ａの第一蒸気排出口３ｂとを介して外部へ臨むように設けられている。また、第２障壁２０は、水溜まり部２１の反対側の壁面には、ケース１２の底面から上端に向かうに連れて水溜まり部２１側へ傾斜する凹み部（図示せず）が設けられている。
【００２２】
カバー１３内の上面には、第３障壁１７が設けられている。この第３障壁１７は、平らな板部材で形成され、第１障壁１９と第２障壁２０との間に設置されている。第３障壁１７は、第二蒸気排出口１８側の壁面の反対側の壁面に、蒸気口ユニット１１内の上面から下端に向かうに連れて第二蒸気排出口１８側へ傾斜する凹み部（図示せず）が設けられている。この第３障壁１７は、蒸気導入筒１５から内部空間に流入して第二蒸気排出口１８に流れる蒸気からおねばを分離する。第３障壁１７により分離されたおねばは、第１障壁１９と第２障壁２０との間に落下し、第１障壁１９に設けられた開口部から溜まり部２２へ流れる。
【００２３】
図３は、本発明の実施の形態１に係る米計量カップ１００Ａの正面断面図であり、図４は、本発明の実施の形態１に係る米計量カップ１００Ａの分解図である。なお、図３（ａ）は、洗米を必要としない米（以下、無洗米と称する）を計量する際の状態を示しており、図３（ｂ）は、洗米を必要とする米（以下、有洗米と称する）を計量する際の状態を示している。また、図４（ａ）は、カップ本体１１０を正面から見た断面図であり、図４（ｂ）は、カップ本体１１０を下から見た図であり、図４（ｃ）は、容積変更用部材１２０を上から見た図であり、図４（ｄ）は、容積変更用部材１２０を正面から見た断面図であり、図４（ｅ）は、容積変更用部材１２０を下から見た図である。
【００２４】
本実施の形態１に係る米計量カップ１００Ａは、図３および図４に示すようにカップ本体１１０と容積変更用部材１２０とで構成されており、容積変更用部材１２０をカップ本体１１０の底部１１１に上側および下側から着脱可能に取り付けることができる。
本実施の形態１に係る米計量カップ１００Ａは、１合の有洗米および無洗米を計量することができるものであり、上端１１６が有洗米および無洗米の１合の目盛線となるものである。
【００２５】
カップ本体１１０は、有底筒状であり、無色透明のＰＰ（ポリプロピレン樹脂）でできている。カップ本体１１０の底部１１１の中央には、円形状の孔１１２が形成されており、その孔１１２の回りには周縁部１１３が設けられている。なお、孔１１２の径は米粒の径よりも小さくなっている。また、カップ本体１１０の底部１１１の周縁部１１３と外周端１１５との間には、孔１１２を囲うようにリング状の脚部１１４が設けられている。この脚部１１４は下方に向かって突出するように設けられている。
【００２６】
容積変更用部材１２０は、円板形状であり、シリコンゴムなどの弾性体材料でできている。容積変更用部材１２０の底部１２１の中央には、下方に向かって突出した円形状の凸部１２２が設けられている。この凸部１２２は、容積変更用部材１２０の底部１２１とは反対側の端部が広がった傘形状を有しており、胴部１２２ａと傘部１２２ｂとで構成されている。
【００２７】
容積変更用部材１２０の凸部１２２の胴部１２２ａは、カップ本体１１０の孔１１２とほぼ同じ径および形状を有しており、周縁部１１３とほぼ同じ高さを有している。また、容積変更用部材１２０の凸部１２２の傘部１２２ｂの最大径（最大横幅）は、カップ本体１１０の孔１１２の径（幅）よりも大きくなっている。しかし、凸部１２２は弾性体材料で構成されており伸び縮みするため、凸部１２２を孔１１２に挿入し、嵌め合わせることができる。
【００２８】
このとき、容積変更用部材１２０の底部１２１と凸部１２２の傘部１２２ｂとでカップ本体１１０の周縁部１１３を挟み込んだ状態となる。そして、凸部１２２の胴部１２２ａは周縁部１１３とほぼ同じ高さであり、容積変更用部材１２０が動こうとしても凸部１２２の傘部１２２ｂがカップ本体１１０の底部１１１の周縁部１１３にすぐ引っ掛かるため、カップ本体１１０を容積変更用部材１２０に固定することができる。また、容積変更用部材１２０の底部１２１の凸部１２２と外周端１２４との間には、凸部１２２を囲うようにリング状の溝１２３が形成されている。
【００２９】
そして、容積変更用部材１２０をカップ本体１１０の底部１１１に上側から取り付けた際に、図３（ａ）に示すように、凸部１２２の傘部１２２ｂがカップ本体１１０の底部１１１よりも下方に突出するようになっている。このとき、脚部１１４の高さは、凸部１２２の傘部１２２ｂのカップ本体１１０の底部１１１よりも下方に位置する長さよりも高くなるように設けられている。そのため、容積変更用部材１２０をカップ本体１１０の底部１１１に上側から取り付けた状態において、凸部１２２が米計量カップ１００Ａの設置面に干渉してカップ本体１１０が傾くということがなく、米計量カップ１００Ａを安定して立てることができる。
【００３０】
また、容積変更用部材１２０をカップ本体１１０の底部１１１に下側から取り付けた際に、図３（ｂ）に示すように、凸部１２２の傘部１２２ｂがカップ本体１１０の底部１１１よりも上方に突出するようになっている。このとき、容積変更用部材１２０の溝１２３の幅および内径は、カップ本体１１０の脚部１１４の幅および内径とほぼ同じかそれよりも大きくなっており、脚部１１４が溝１２３に収納されるようになっている。そのため、容積変更用部材１２０をカップ本体１１０の底部１１１に下側から取り付けた状態において、脚部１１４が容積変更用部材１２０に干渉してカップ本体１１０が傾くということがなく、米計量カップ１００Ａを安定して立てることができる。
【００３１】
なお、孔１１２および凸部１２２の胴部１２２ａの形状は、それらが同じ形状であれば円形状に限定されない。また、孔１１２および凸部１２２の位置は、それらが対応する位置に設けられていれば、厳密に中央でなくてもよい。
【００３２】
次に、本実施の形態１に係る米計量カップ１００Ａの使用方法について説明する。
米計量カップ１００Ａで無洗米を計量する場合、図３（ａ）に示すように容積変更用部材１２０の凸部１２２が下向きとなるようにして、容積変更用部材１２０をカップ本体１１０の底部１１１に上側から取り付けて使用する。また、米計量カップ１００Ａで有洗米を計量する場合、図３（ｂ）に示すように容積変更用部材１２０をカップ本体１１０の底部１１１に下側から取り付けて使用する。
【００３３】
同じ１合を炊くときでも有洗米に比べて無洗米の方が少ない量で炊く必要がある。そこで、図３（ａ）に示すように容積変更用部材１２０をカップ本体１１０の底部１１１に上側から取り付けることで、図３（ｂ）に示すように容積変更用部材１２０の凸部１２２が上向きとなるようにして、容積変更用部材１２０をカップ本体１１０の底部１１１に下側から取り付ける場合に比べ、米計量カップ１００Ａの内容積が米計量カップ１００Ａ内に位置する容積変更用部材１２０の容積の分だけ小さくなる。この米計量カップ１００Ａの内容積の差は、１合を炊くときに必要な有洗米の量と無洗米の量との差、つまり約１０ｃｃである。
【００３４】
以上、本実施の形態１に係る米計量カップ１００Ａによれば、容積変更用部材１２０の取り付け方を変えることにより、米計量カップ１００Ａの内容積を有洗米用と無洗米用とに変更することができる。そのため、１合の有洗米および無洗米のいずれを計量する際においても、上端１１６を平らな棒状のものなどですり切りすることで、正確に計量することができる。さらに、１個の米計量カップ１００Ａで有洗米および無洗米のどちらも正確に計量することができる。
【００３５】
なお、本実施の形態１では、容積変更用部材１２０の凸部１２２は胴部１２２ａと傘部１２２ｂとで構成されているとしたが、それに限定されない。例えば、凸部１２２を胴部１２２ａのみの構成とし、胴部１２２ａをカップ本体１１０の孔１１２よりも大きい径とすることで、凸部を孔１１２に挿入した後、胴部１２２ａの弾性力により凸部が孔１１２から抜けなくなるため、容積変更用部材１２０をカップ本体１１０に取り付けることができる。
【００３６】
実施の形態２．
以下、本発明の実施の形態２について説明するが、実施の形態１と重複するものについては（一部の）説明を省略し、実施の形態１と同じ部分または相当する部分には同じ符号を付す。
【００３７】
図５は、本発明の実施の形態２に係る米計量カップ１００Ｂの図であり、図６は、本発明の実施の形態２に係る米計量カップ１００Ｂの分解図である。なお、図５（ａ）は、米計量カップ１００Ｂを上から見た図であり、図５（ｂ）は、米計量カップ１００Ｂを側面から見た断面図であり、図５（ｃ）は、米計量カップ１００Ｂを下から見た図であり、図５（ｄ）は、米計量カップ１００Ｂを正面から見た図である。また、図６（ａ）は、カップ本体１３０を上から見た図であり、図６（ｂ）は、カップ本体１３０を正面から見た断面図であり、図６（ｃ）は、カップ本体１３０を下から見た図であり、図６（ｄ）は、容積変更用部材１４０を上から見た図であり、図６（ｅ）は、容積変更用部材１４０を側面から見た断面図であり、図６（ｆ）は、容積変更用部材１４０を下から見た図であり、図６（ｇ）は、容積変更用部材１４０を正面から見た図である。
【００３８】
本実施の形態２に係る米計量カップ１００Ｂは、図５および図６に示すようにカップ本体１３０と容積変更用部材１４０とで構成されており、容積変更用部材１４０をカップ本体１３０の側部に着脱可能に取り付けることができる。
本実施の形態２に係る米計量カップ１００Ｂは、１合および１／２合の有洗米および無洗米を計量することができるものであり、上端１３４が有洗米および無洗米の１合の目盛線となるものであり、カップ本体１３０の上下方向の中央には白米、つまり有洗米１／２合の目盛線が、容積変更用部材１４０の上下方向の中央には無洗米１／２合の目盛線がそれぞれ設けられている。
【００３９】
カップ本体１３０は、有底筒状であり、無色透明のＰＰ（ポリプロピレン樹脂）でできている。カップ本体１３０の底部１３１の外周端１３３寄りの位置には、弧状の長孔１３２が形成されており、この長孔１３２の短径は米粒の径よりも小さくなっている。また、上端１３４には、外側に突出したフランジ１３５が設けられている。
【００４０】
なお、長孔１３２は本発明の「孔」に相当する。
【００４１】
容積変更用部材１４０は、正面視して長方形状であり、前面がカップ本体１３０の側面に沿った形状を有しており、また、シリコンゴムなどの弾性体材料でできている。容積変更用部材１４０の上部には、上端１３４のフランジ１３５に引っ掛けるための引掛部１４１が設けられている。また、容積変更用部材１４０の下部には、下方に向かって突出した弧状の凸部１４２が設けられている。
【００４２】
容積変更用部材１４０の凸部１４２は、カップ本体１３０の長孔１３２とほぼ同じ形状を有しており、凸部１４２を長孔１３２に挿入することができる。そして、容積変更用部材１４０の凸部１４２をカップ本体１３０の長孔１３２に挿入した状態で、引掛部１４１をフランジ１３５に引っ掛けることで、カップ本体１３０を容積変更用部材１４０に固定することができる。このとき、カップ本体１３０に設けられている有洗米１／２合の目盛線と容積変更用部材１４０に設けられている無洗米１／２合の目盛線とを合わせることにより、凸部１４２の位置と長孔１３２の位置とが合うようになっている。また、容積変更用部材１４０に設けられている「無洗米」の文字および１／２合の目盛り線を非透明色とすることで、容積変更用部材１４０をカップ本体１３０に取り付けた際に、それらの表示を見やすくできる。
【００４３】
そして、容積変更用部材１４０をカップ本体１３０に取り付けた際に、凸部１４２はカップ本体１３０の底部１３１よりも下方に突出しないようになっている。つまり、凸部１４２の長さは、底部１３１の厚さ以下になるように設けられている。そのため、容積変更用部材１４０をカップ本体１３０に取り付けた状態において、凸部１４２が米計量カップ１００Ｂの設置面に干渉してカップ本体１３０が傾くということがなく、米計量カップ１００Ｂを安定して立てることができる。
【００４４】
次に、本実施の形態２に係る米計量カップ１００Ｂの使用方法について説明する。
米計量カップ１００Ｂで無洗米を計量する場合、容積変更用部材１４０をカップ本体１３０に取り付けて使用する。また、米計量カップ１００Ｂで有洗米を計量する場合、カップ本体１３０に容積変更用部材１４０が取り付けられていない状態、つまりカップ本体１３０のみで使用する。
【００４５】
同じ１合を炊くときでも有洗米に比べて無洗米の方が少ない量で炊く必要がある。そこで、容積変更用部材１４０をカップ本体１３０に取り付けることで、容積変更用部材１４０をカップ本体１３０に取り付けていない場合に比べ、米計量カップ１００Ｂの内容積が米計量カップ１００Ｂ内に位置する容積変更用部材１４０の容積の分だけ小さくなる。この米計量カップ１００Ｂの内容積の差は、１合を炊くときに必要な有洗米の量と無洗米の量との差、つまり約１０ｃｃである。
【００４６】
以上、本実施の形態２に係る米計量カップ１００Ｂによれば、容積変更用部材１４０を着脱することにより、米計量カップ１００Ｂの内容積を有洗米用と無洗米用とに変更することができる。そのため、１合の有洗米および無洗米のいずれを計量する際においても、上端１３４を平らな棒状のものなどですり切りすることで、正確に計量することができる。さらに、１個の米計量カップ１００Ｂで有洗米および無洗米のどちらも正確に計量することができる。
【００４７】
また、カップ本体１３０の上下方向の中央には有洗米１／２合の目盛線が、容積変更用部材１４０の上下方向の中央には無洗米１／２合の目盛線がそれぞれ設けられており、有洗米および無洗米どちらの場合もカップ本体１３０の上下方向の中央の位置、つまり同じ位置に合わせて計量することができる。
【００４８】
実施の形態３．
以下、本発明の実施の形態３について説明するが、実施の形態１および２と重複するものについては（一部の）説明を省略し、実施の形態１および２と同じ部分または相当する部分には同じ符号を付す。
【００４９】
図７は、本発明の実施の形態３に係る米計量カップ１００Ｃの図である。なお、図７（ａ）は、無洗米を計量する際の状態を示しており、図７（ｂ）は、有洗米を計量する際の状態を示している。
本実施の形態３に係る米計量カップ１００Ｃは、図７に示すようにカップ本体１５０と、カップ本体１５０にその底部を覆うように取り付けられる底蓋１６０と、で構成されており、底蓋１６０をカップ本体１５０に対して上下移動させることができる。
本実施の形態３に係る米計量カップ１００Ｃは、１合の有洗米および無洗米を計量することができるものであり、上端１５４が有洗米および無洗米の１合の目盛線となるものである。
【００５０】
なお、底蓋１６０は本発明の「容積変更用部材」に相当する。
【００５１】
カップ本体１５０は、無底筒状であり、無色透明のＰＰ（ポリプロピレン樹脂）でできている。カップ本体１５０の外周側側面１５１の下部には、外側に向かって突出した第一規制部１５２および第二規制部１５３が設けられている。第一規制部１５２は、カップ本体１５０の外周側側面１５１の下端部に設けられており、第二規制部１５３は第一規制部１５２よりも上側に設けられている。カップ本体１５０の第一規制部１５２と第二規制部１５３との間の外周側側面１５１には、螺旋状の溝（図示せず）が形成されている。
【００５２】
底蓋１６０は、有底筒状であり、無色透明のＰＰ（ポリプロピレン樹脂）でできている。底蓋１６０の内周側側面１６１の上部には、内側に向かって突出した凸部１６２が設けられている。また、凸部１６２は突出方向の面に螺旋状の突起（図示せず）が設けられており、凸部１６２の突起はカップ本体１５０の外周側側面１５１の溝と噛み合うようになっている。そして、底蓋１６０を時計回りまたは反時計回りに回転させることにより、底蓋１６０がカップ本体１５０に対して上方向または下方向に移動する。
【００５３】
カップ本体１５０の外周側側面１５１の溝は第一規制部１５２と第二規制部１５３との間に設けられているため、凸部１６２が上下に移動する際に第一規制部１５２の上端または第二規制部１５３の下端に接触し、底蓋１６０の上下の移動範囲が規制される。そのため、底蓋１６０は、第一規制部１５２の上端と第二規制部１５３の下端との間の範囲内で上下に移動するようになっている。このように、底蓋１６０が第一規制部１５２の上端と第二規制部１５３とによって規制されることによって、底蓋１６０がカップ本体１５０から外れるのを防止することができる。
【００５４】
次に、本実施の形態３に係る米計量カップ１００Ｃの使用方法について説明する。
米計量カップ１００Ｃで無洗米を計量する場合、底蓋１６０をカップ本体１５０に対して最上部の位置に移動させて使用する。また、米計量カップ１００Ｃで有洗米を計量する場合、底蓋１６０をカップ本体１５０に対して最下部の位置に移動させて使用する。
【００５５】
同じ１合を炊くときでも有洗米に比べて無洗米の方が少ない量で炊く必要がある。そこで、底蓋１６０をカップ本体１５０に対して上下に移動させ、図７（ａ）に示すように底蓋１６０がカップ本体１５０に対して最上部の位置に移動した場合は、図７（ｂ）に示すように底蓋１６０がカップ本体１５０に対して最下部の位置に移動した場合に比べ、米計量カップ１００Ｃの内容積が、底蓋１６０が移動した分だけ小さくなる。この米計量カップの内容積の差は、１合を炊くときに必要な有洗米の量と無洗米の量との差、つまり約１０ｃｃである。
【００５６】
また、米計量カップ１００Ｃは、底蓋１６０の凸部１６２が第一規制部１５２の上端と接触している状態が有洗米用の容積となり、底蓋１６０の凸部１６２が第二規制部１５３の下端と接触している状態が無洗米用の容積となる。そのため、米計量カップ１００Ｃの内容積を有洗米用にする場合は、凸部１６２が第一規制部１５２の上端と接触する位置まで底蓋１６０を下側に移動させればよく、一方、無洗米用にする場合は、凸部１６２が第二規制部１５３の下端と接触する位置まで底蓋１６０を上側に移動させればよいため、移動量を調整する必要がなく、容積を容易に変更することができる。
【００５７】
以上、本実施の形態３に係る米計量カップ１００Ｃによれば、底蓋１６０をカップ本体１５０に対して上下に移動させることにより、米計量カップ１００Ｃの内容積を有洗米用と無洗米用とに変更することができる。そのため、１合の有洗米および無洗米のいずれを計量する際においても、上端１５４を平らな棒状のものなどですり切りすることで、正確に計量することができる。さらに、１個の米計量カップ１００Ｃで有洗米および無洗米のどちらも正確に計量することができる。
【００５８】
なお、本実施の形態３では、カップ本体１５０の外周側側面１５１に螺旋状の溝（図示せず）が形成され、底蓋１６０の凸部１６２に螺旋状の突起（図示せず）が設けられているとしたが、その反対、つまり、カップ本体１５０の外周側側面１５１に螺旋状の突起（図示せず）が設けられ、底蓋１６０の凸部１６２に螺旋状の溝（図示せず）が形成されるようにしてもよい。
【符号の説明】
【００５９】
１  本体、２  内釜、３  外蓋、３ａ  凹部、３ｂ  第一蒸気排出口、３ｃ  連結口、４  内蓋、５  ヒンジ部、６  加熱コイル、７  温度センサー、１１  蒸気口ユニット、１２  ケース、１３  カバー、１４  蒸気流入口、１５  蒸気導入筒、１６  開閉弁、１７  第３障壁、１８  第二蒸気排出口、１８ａ  ゴムパッキン、１９  第１障壁、２０  第２障壁、２１  水溜まり部、２２  溜まり部、２３  ヒンジ部、２４  ゴムパッキン、３１  カバー固定手段、１００Ａ  米計量カップ、１００Ｂ  米計量カップ、１００Ｃ  米計量カップ、１１０  カップ本体、１１１  底部、１１２  孔、１１３  周縁部、１１４  脚部、１１５  外周端、１１６  上端、１２０  容積変更用部材、１２１  底部、１２２  凸部、１２２ａ  胴部、１２２ｂ  傘部、１２３  溝、１２４  外周端、１３０  カップ本体、１３１  底部、１３２  長孔、１３３  外周端、１３４  上端、１３５  フランジ、１４０  容積変更用部材、１４１  引掛部、１４２  凸部、１５０  カップ本体、１５１  外周側側面、１５２  第一規制部、１５３  第二規制部、１５４  上端、１６０  底蓋、１６１  内周側側面、１６２  凸部。
【図１】
0006628630.tif 000002
【図２】
0006628630.tif 000003
【図３】
0006628630.tif 000004
【図４】
0006628630.tif 000005
【図５】
0006628630.tif 000006
【図６】
0006628630.tif 000007
【図７】
0006628630.tif 000008